(57)【要約】【課題】アクチュエータのサスペンション架設に関する装置を提供する。【解決手段】フレーム９に固定する固定部材１０に設けられた複数の孔よりアクチュエータ可動部に形成された複数の孔を形成する支持部６にそれぞれサスペンションワイヤー５を挿入し、これらの支持部分６で固定され、かつ、挿入先にサスペンションワイヤー５とコイルの端部を接続する突起状の端子部７とその先に各サスペンションワイヤー５の先端の位置決めを行うストッパー部材８を設け、前記端子部７の先端は支持部６方向に傾けて成型し、コイルの端部が端子部７に容易に巻回できるとともに半田付け作業が容易にできるようにしたものである。【選択図】　　図１
2004022118.tif 000002
【特許請求の範囲】
【請求項１】
対物レンズを保持するレンズホルダーより成るアクチュエータ可動部をフレームに対して変位可能に支持するための複数の直線状サスペンションを架設するアクチュエータのサスペンション架設装置であって、フレームに固定する固定部材に設けられた複数の孔よりアクチュエータ可動部に形成された複数の孔を形成する支持部にそれぞれサスペンションワイヤーを挿入し、これらの支持部分で固定され、かつ、挿入先にサスペンションワイヤーとコイルの端部を接続する突起状の端子部とその先に各サスペンションワイヤーの先端の位置決めを行うストッパー部材を設け、前記端子部の先端は支持部方向に傾けて成型されていることを特徴とするアクチュエータのサスペンション架設装置。
【発明の詳細な説明】
【０００１】
【発明の属する技術分野】
本発明は、対物レンズを保持するレンズホルダーより成るアクチュエータ可動部をフレームに対して変位可能に支持するための複数の直線状サスペンションを架設するアクチュエータのサスペンション架設装置に関し、特に、サスペンションの架設を容易に精度を確保して行うアクチュエータのサスペンション架設装置に関する。
【０００２】
【従来の技術】
ディスク等の信号記録媒体に対して光学的に信号の読み取り、あるいは書き込みを行う光学ヘッドは、通常、発光素子である半導体レーザー及び受光素子である光検出器が組み込まれるハウジングに、対物レンズを駆動するアクチュエータを設置して構成される。
【０００３】
アクチュエータは、一般に、対物レンズを保持するレンズホルダーにフォーカシングコイル及びトラッキングコイル等の駆動コイルを取り付けてアクチュエータ可動部を構成し、このアクチュエータ可動部をハウジングに対して変位可能に支持し、前記駆動コイルに対して有効に磁界を形成するべく磁気回路を配置して構成される。
【０００４】
アクチュエータにおいては、アクチュエータ可動部をハウジングに対して変位可能に支持するためにワイヤーや板バネ等の直線状サスペンションを用いる構成が主流となっており、複数の直線状サスペンションの各端部付近がそれぞれハウジングに固定される固定部材及びアクチュエータ可動部に固定される。
【０００５】
【発明が解決しようとする課題】
ところで、アクチュエータの組立時において、サスペンションワイヤーを架設する場合、各サスペンションワイヤーは最初に固定部材に形成される各孔にそれぞれ挿入され、次に、アクチュエータ可動部に形成される支持部の孔に挿入された後にレンズホルダーに巻回されたコイルの端部とサスペンションワイヤーを半田付けする端子部に当接し、その先にサスペンションワイヤーの先端を位置決めするストッパーが配置されている。このように構成された端子部はコイルの端部を巻回する場合において、通常端子部は位置決め用ストッパーと近接して設けられ端子部に巻回されるコイルはサスペンションワイヤー間に隙間が発生し、半田付けの際、サスペンションワイヤーがコイル側に付勢されて半田付けされる恐れがあり、駆動時にレンズが傾くという問題があった。
【０００６】
【課題を解決するための手段】
本発明は、フレームに固定する固定部材に設けられた複数の孔よりアクチュエータ可動部に形成された複数の孔を形成する支持部にそれぞれサスペンションワイヤーを挿入し、これらの支持部分で固定され、かつ、挿入先にサスペンションワイヤーとコイルの端部を接続する突起状の端子部とその先に各サスペンションワイヤーの先端の位置決めを行うストッパー部材を設け、前記端子部の先端は支持部方向に傾けて成型した。
【０００７】
【実施例】
図１は本発明に係る光学ヘッドのアクチュエータのサスペンション架設装置の組立完了状態を示す斜視図、図２は図１のアクチュエータの磁気回路部分を省略した要部の状態を示す斜視図である。
【０００８】
対物レンズ１はレンズホルダー２に保持されており、該レンズホルダー２の側面全周にフォーカスコイル３が装着され、レンズホルダー２の平行な所定の各側面の両脇にそれぞれトラッキングコイル４が装着されている。
【０００９】
また、レンズホルダー２の対物レンズ１を挟んだ両側には、上下にそれぞれ弾性支持体となる直線上サスペンションワイヤー５の一端が貫通部６ａを支持する支持部６と前記フォーカスコイル３及びトラッキングコイル４の巻線端部をサスペンションワイヤー５に接続する端子部７が突出して形成されるとともに該端子部７は図２に示す通り容易にコイルを巻回出来るように先端部が支持部の方に傾けて成型されている。
【００１０】
そして、該端子部７に隣接してストッパー８がレンズホルダー２に一体的に成型されサスペンションワイヤー５の端部の位置決めが成される。
【００１１】
また、４本の各サスペンションワイヤー５の他端は、後述するヨークとして作用する磁気回路部を含むべく磁性材料で形成されるフレーム９の端部に取り付けられる固定部材１０に設けられた固定孔１１に貫通し固定されネジ１２によりフレーム９に固定されている。
【００１２】
また、一対のマグネット１３及び１４はレンズホルダー２を挟んで同一磁極面（Ｎ極）が対向して配置されている。そして、各マグネット１３及び１４のＳ極の磁極面はそれぞれフレーム９と一体に形成される外部ヨーク１５及び１６が付設されており、各マグネット１３及び１４のＮ極の磁極面にはそれぞれフレーム９と一体に形成される対向ヨーク１７及び１８が対向して配置されている。
【００１３】
マグネット１３及び１４から発生される磁束は、フォーカスコイル３及び各トラッキングコイル４の有効領域に作用し、フォーカスコイル３にフォーカスエラー信号を供給することによりディスクの信号面に光ビームを合焦させるフォーカス制御が行われるようにレンズホルダー２と共に対物レンズ１が駆動され、各トラッキングコイル４にトラッキングエラー信号を供給することによりディスクの信号トラックに光ビームを追従させるトラッキング制御が行われるようにレンズホルダー２と共に対物レンズ１が駆動される。
【００１４】
次に、このように構成される対物レンズ駆動装置において、本発明の組み立てについて図１及び図２を用いて更に詳細に説明する。
【００１５】
レンズホルダー２は底面が開放された矩形の箱状であり、液晶ポリマー材料による成形で各支持部６と端子部７とストッパー８とフォーカスコイル３及び各トラッキングコイル４が装着される各装着部とが一体的に形成されており、前記端子部７はフォーカスコイル３及び各トラッキングコイル４の端部を巻回する時、図２に示す通り端子部７の先端は支持部６の方に先端が傾けて成型されているのでストッパー８の影響を受けずに容易に巻回できるものである。
【００１６】
アクチュエータ可動部の組み立てとして、サスペンションワイヤー５は、組み立て治具を使用し固定孔１１を貫通し更に貫通部６ａを貫通し端子部７に当接した後ストッパー８によりサスペンションワイヤー５の位置決めが行われ、貫通部６ａ及び固定孔１１は半田付けにてサスペンションワイヤー５の周囲を接着する。そして、フォーカスコイル３及び各トラッキングコイル４の端部が巻回された端子部７はサスペンションワイヤー５を半田付けすることによりアクチュエータが組立てられる。
これにより、レンズホルダー２は４本のサスペンションワイヤー５によりフレーム９に変位可能に弾性的に支持される。
【００１７】
【発明の効果】
以上に述べた如く、本発明に依れば、フレームに固定する固定部材に設けられた複数の孔よりアクチュエータ可動部に形成された複数の孔を形成する支持部にそれぞれサスペンションワイヤーを挿入し、これらの支持部分で固定され、かつ、挿入先にサスペンションワイヤーとコイルの端部を接続する突起状の端子部とその先に各サスペンションワイヤーの先端の位置決めを行うストッパー部材を設け、前記端子部の先端は支持部方向に傾けて成型したので、サスペンションワイヤーが配置される位置にコイルの端部を巻回することが出来るのでサスペンションワイヤーとコイルの端部は応力が加わることがなく容易に半田付けすることができる。
【００１８】
そして、端子部がストッパーに隣接していても巻回する端子部の先端はストッパーより広がる方向にあるのでフォーカスコイル及びトラッキングコイルの引出し線を端子部に容易に巻回することができる。
【００１９】
また、ストッパー部材を設けているので、各サスペンションワイヤーの挿入先である先端部の位置決め用治具を必要とせず、精度良くサスペンションを架設することが出来る。そして、各サスペンションの端部が円滑に位置関係を一定にして所定位置に設定され、容易にサスペンションを架設することが出来る。
【図面の簡単な説明】
【図１】本発明に係る光学ヘッドのアクチュエータのサスペンション架設装置の組立完了状態を示す斜視図である。
【図２】図１のアクチュエータの磁気回路部分を省略した要部の状態を示す斜視図である。
【符号の説明】
１　　　　　対物レンズ
２　　　　　レンズホルダー
５　　　　　サスペンションワイヤー
６　　　　　支持部
６ａ　　　　貫通部
７　　　　　端子部
８　　　　　ストッパー
９　　　　　フレーム
１０　　　　　固定部材
１１　　　　　固定孔
【図１】
2004022118.tif 000003
【図２】
2004022118.tif 000004